(57)【要約】多数の品目を陳列するための筐体。この筐体は、多数のレールを備えた第１の製品棚と、第２の製品棚と、第１の製品棚のレールの周りに位置付けられ、第２の製品棚の方に向けられた１つまたは複数の発光ダイオードとを含んでもよい。【選択図】図６
2010527114.tif 000002
【特許請求の範囲】
【請求項１】
多数の品目を陳列するための筐体であって、
複数のレールを備える第１の製品棚と、
第２の製品棚と、
前記第１の製品棚上の前記複数のレールの周りに位置付けられ、前記第２の製品棚の方に向けられた１つまたは複数の発光ダイオードと、を備える、筐体。
【請求項２】
前記複数のレールが複数の製品レールおよび複数の支持レールを含む、請求項１に記載の筐体。
【請求項３】
前記複数の製品レールが複数の中実のレールを含む、請求項２に記載の筐体。
【請求項４】
前記複数の製品レールが、複数の上向きに角度を成す端部と、複数の下向きに角度を成す端部とを交互に備える、請求項２に記載の筐体。
【請求項５】
前記複数の上向きに角度を成す端部およびそれと交互になった前記複数の下向きに角度を成す端部が、それらの間に間隙を備え、前記１つまたは複数の発光ダイオードがその中に位置付けられた、請求項４に記載の筐体。
【請求項６】
前記複数の製品レールの１つまたは複数が、角度を成す延長部を備え、前記１つまたは複数の発光ダイオードがその上に位置付けられた、請求項２に記載の筐体。
【請求項７】
前記複数の製品レールが複数の中空の製品レールを含む、請求項２に記載の筐体。
【請求項８】
前記複数の中空の製品レールの１つまたは複数が、その中に位置付けられた前記１つまたは複数の発光ダイオードを備える、請求項７に記載の筐体。
【請求項９】
前記複数の支持レールが複数の中空の支持レールを含む、請求項２に記載の筐体。
【請求項１０】
前記複数の中空の支持レールの１つまたは複数が、その中に位置付けられた前記１つまたは複数の発光ダイオードを備える、請求項９に記載の筐体。
【請求項１１】
電気系統をさらに備え、
前記第１の製品棚および前記１つまたは複数の発光ダイオードが前記電気系統と連通している、請求項１に記載の筐体。
【請求項１２】
前記第１の製品棚の方に向けられた１つまたは複数の追加の発光ダイオードを有する追加の製品棚をさらに備え、
前記第１の製品棚が、その上に第１のタイプの製品を含み、
前記１つまたは複数の追加の発光ダイオードが、第１の波長を含み、
前記第２の製品棚が、その上に第２のタイプの製品を含み、
前記１つまたは複数の発光ダイオードが、第２の波長を含む、請求項１に記載の筐体。
【請求項１３】
前記１つまたは複数の第１の発光ダイオードおよび前記１つまたは複数の追加の発光ダイオードが、１つまたは複数の三色発光ダイオードを含む、請求項１２に記載の筐体。
【請求項１４】
前記第１の波長が紫外線光を含み、前記第２の波長が着色光を含む、請求項１２に記載の筐体。
【請求項１５】
多数の品目を陳列するための筐体であって、
ドアによって囲まれたキャビネットと、
前記ドアの第１の面の周りで鉛直に延在する１つまたは複数の発光ダイオードと、
前記１つまたは複数の発光ダイオードの周りに位置付けられて、前記１つまたは複数の発光ダイオードからの光を前記キャビネット内に反射させる反射体と、を備える、筐体。
【請求項１６】
前記１つまたは複数の発光ダイオードおよび前記反射体が、前記ドアの長さ分だけ延在する、請求項１５に記載の筐体。
【請求項１７】
前記１つまたは複数の発光ダイオードが前記ドア上に取り付けられ、前記反射体が前記キャビネット内に取り付けられた、請求項１５に記載の筐体。
【請求項１８】
前記ドアが閉じているとき、前記反射体が、前記１つまたは複数の発光ダイオードからの光を前記キャビネット内に反射させる、請求項１５に記載の筐体。
【請求項１９】
前記ドアが開いているとき、前記１つまたは複数の発光ダイオードが前記多数の品目の１つまたは複数を直接照明する、請求項１８に記載の筐体。
【発明の詳細な説明】
【技術分野】
【０００１】
[0101]  本出願は、概して、ディスペンサーに関し、より具体的には、ＬＥＤ照明スキーム、ならびに、冷却器、自動販売機などのようなディスペンサー内でのＬＥＤの位置付けに関する。
【背景技術】
【０００２】
[0102]  製品ディスペンサーは、多くの異なる形態およびサイズをとることがある。各ディスペンサーは、一般に、ある種の製品照明および／または標識照明を必要とする。従来、白色蛍光灯が使用されてきた。しかし、そのような蛍光灯では、ディスペンサーの一部の照明が不適当なままになる場合が多い。さらに、そのような蛍光灯は寿命が限られている。照明が薄暗いディスペンサー、または光源が消耗したディスペンサーは、少なくとも、中にある製品が適切に冷やされていないという認識を消費者に与えることがある。
【発明の概要】
【発明が解決しようとする課題】
【０００３】
[0103]  寿命の増加および消費電力の減少により、発光ダイオード（「ＬＥＤ」）照明が多くの照明用途において一般的になってきている。そのため、現行のＬＥＤ照明の課題は、全体として、ＬＥＤの据付けの容易さ、変更の容易さ、および全体的なコストの縮小に焦点を置いている。例えば、既知のＬＥＤ照明システムは、可撓性の電源ハーネスが一般に使用されるものとすると、据付けまたは変更が困難な場合がある。さらに、これらＬＥＤの課題は、一般に、適当な製品マーケティングとの関連において対処する必要があり、すなわち、ディスペンサーおよびその中の製品は、視覚的に目立ち、かつ消費者の目を引くように照明すべきである。
【０００４】
[0104]  したがって、改善されたＬＥＤ照明スキームを備えたディスペンサーが求められている。この改善された照明スキームは、据付け、変更が容易であって、コストの点で妥当でありながら、優れた照明および製品マーケティングを提供するはずである。
【課題を解決するための手段】
【０００５】
[0105]  そこで、本出願は、多数の品目を陳列するための筐体について記載する。この筐体は、多数のレールを備えた第１の製品棚と、第２の製品棚と、第１の製品棚のレールの周りに位置付けられ、第２の製品棚の方に向けられた１つまたは複数の発光ダイオードとを含んでもよい。
【０００６】
[0106]  第１の製品棚は、多数の製品レールおよび多数の支持レールを含んでもよい。製品レールは多数の中実のレールを含んでもよい。製品レールは、多数の上向きに角度を成す端部と、それと交互になった多数の下向きに角度を成す端部とを含んでもよい。交互になった角度を成す端部は、発光ダイオードがその中に位置付けられた間隙を間に含んでもよい。製品レールは、発光ダイオードがその上に位置付けられた角度を成す延長部を含んでもよい。
【０００７】
[0107]  製品レールは多数の中空の製品レールを含んでもよい。中空の製品レールは、その中に位置付けられた発光ダイオードを含んでもよい。支持レールは多数の中空の支持レールを含んでもよい。中空の支持レールは、その中に位置付けられた発光ダイオードを含んでもよい。筐体は電気系統をさらに含んでもよく、第１の製品棚および発光ダイオードは電気系統と連通していてもよい。
【０００８】
[0108]  筐体は、第１の製品棚の方に向けられた１つまたは複数の追加の発光ダイオードを備えた追加の製品棚を有してもよい。第１の製品棚はその上に第１のタイプの製品を有してもよく、追加の発光ダイオードは第１の波長を有してもよい。第２の製品棚はその上に第２のタイプの製品を有してもよく、発光ダイオードは第２の波長を有してもよい。発光ダイオードおよび追加の発光ダイオードは、１つまたは複数の三色発光ダイオードを含んでもよい。第１の波長は紫外線光を含んでもよく、第２の波長は着色光を含んでもよい。
【０００９】
[0109]  本出願は、多数の品目を陳列するための筐体についてさらに記載する。この筐体は、キャビネットと、ドアと、ドアの第１の面の周りで鉛直に延在する１つまたは複数の発光ダイオードと、発光ダイオードからの光をキャビネット内に反射させるように発光ダイオードの周りに位置付けられた反射体とを含んでもよい。
【００１０】
[0110]  発光ダイオードおよび反射体はドアの長さの分だけ延在してもよい。発光ダイオードはドア上に取り付けられてもよく、反射体はキャビネット内に取り付けられてもよい。ドアが閉じているとき、反射体は、発光ダイオードからの光をキャビネット内に反射させる。ドアが開いているとき、発光ダイオードは品目の１つまたは複数を直接照明する。
【図面の簡単な説明】
【００１１】
【図１】[0111]既知の冷却器の斜視図である。
【図２】[0112]本明細書に記載するような冷却器の内部区画の正面図である。
【図３】[0113]本明細書に記載するような製品棚の平面図である。
【図４】[0114]図３の製品棚の側面図である。
【図５】[0115]本明細書に記載するような製品棚の代替実施形態の平面図である。
【図６】[0116]図５の製品棚の側面図である。
【図７】[0117]本明細書に記載するような製品棚の代替実施形態の平面図である。
【図８】[0118]本明細書に記載するような製品棚の代替実施形態の平面図である。
【図９】[0119]本明細書に記載するような冷却器の代替実施形態の正面図である。
【図１０】[0120]本明細書に記載するような三色発光ダイオードの斜視図である。
【図１１】[0121]本明細書に記載するような冷却器の代替実施形態の斜視図である。
【図１２】[0122]図１１の冷却器の平面断面図である。
【発明を実施するための形態】
【００１２】
[0123]  次に、複数の図面を通して類似の数字が類似の要素を指す図面を参照すると、図１は、既知のディスペンサー１０を示す。上述したように、ディスペンサー１０は様々な形態をとってもよい。そのため、用語「ディスペンサー」としては、それらに限定されるものではないが、自動販売機、冷却器、冷蔵庫、あるいは、製品もしくは他のタイプの品目を貯蔵および／または陳列する他のあらゆるタイプの筐体が挙げられる。ディスペンサーは、一般に、１つまたは複数の前面ドア３０を備えたキャビネット２０を含む。前面ドア３０は、キャビネット２０内が見えるように、透明パネル４０をその上に有してもよい。ディスペンサー１０は、前面ドア３０を開くことができるようにハンドル５０を有してもよく、または、ディスペンサー１０は、自動販売機として使用される場合、選択デバイス、製品ポート、および支払いデバイスを有してもよい。
【００１３】
[0124]  ディスペンサーには、任意の数の製品棚６０がその中に位置付けられてもよい。製品棚６０はあらゆる形状またはサイズをとってもよい。多数の製品７０が製品棚６０上に位置付けられてもよい。製品７０はあらゆる形態をとってもよい。多数の飲料容器および他のタイプの製品が示される。ディスペンサー１０は、冷却されるか、加熱されるか、周囲温度のままにされるか、または温度が異なる多数の領域を有してもよい。
【００１４】
[0125]  図２は、本明細書に記載するようなディスペンサー１００の一部分を示す。ディスペンサー１００は、概して、上述のディスペンサー１０に類似していてもよい。図示されるように、ディスペンサー１００には、多数の調節レール１１０がその中に位置付けられてもよい。調節レール１１０は、キャビネット２０の後面上、側面上、またはその両方に位置付けられてもよい。調節レール１１０は、多数のレールスロット１２０をその中に含んでもよい。レールスロット１２０により、製品棚６０を所望のように位置付けることが可能になっている。製品棚６０は中に直接位置付けられてもよく、または、クリップもしくは他のタイプのコネクタが使用されてもよい。ディスペンサー１００は、また、少なくとも１つの電源バス１３０を含む。電源バス１３０はキャビネット２０内に位置付けられる。ここには任意のタイプの電源が使用されてもよい。電源バス１３０は、調節レール１１０のレールスロット１２０と電気的に接続されていてもよい。
【００１５】
[0126]  図３および４は、ディスペンサー１００とともに使用するための、本明細書に記載するような製品棚１５０を示す。製品棚１５０は、多数の製品レール１６０および支持レール１７０を含む。製品レール１６０は、一般に、キャビネット２０の後部から前面ドア３０に向かって延在する。支持レール１６０は、垂直の関係で延在し、製品レール１６０を支持する。ここでは他のあらゆる構成が使用されてもよい。
【００１６】
[0127]  多数の製品レール１６０は上向きに角度を成す端部を有してもよく、あるいは、多数の製品レール１６０は下向きに角度を成す端部１９０を有してもよい。交互になった上向きに角度を成す端部１８０および下向きに角度を成す端部１９０は、ほぼ三角形の間隙２００を形成する。カバー２１０は間隙２００を横切って延在してもよい。カバー２１０は、間隙２００を横切って、または製品棚１５０の幅の全部もしくは一部を横切って延在するほぼ平坦なバンドであってもよい。１つまたは複数のＬＥＤ２２０は、間隙２００のいくつかまたはすべての中で、カバー２１０の下に位置付けられてもよい。カバー２１０は、ＬＥＤ２２０からのあらゆるまぶしい光から消費者を保護する。カバー２１０は、ＬＥＤ２２０の周りに位置付けられた反射面を有してもよい。ＬＥＤ２２０は、その下の製品棚１５０上の製品７０の方に光が向けられるように、下向きに位置付けられる。
【００１７】
[0128]  製品レール１６０の一部または全部は中実であってもよい。製品レール１６０のいくつかは、レールスロット１２０内に位置付けられ、それによって支持されて、製品レール１６０が電源バス１３０と連通していてもよい。それらの製品レール１６０は、適切に絶縁され、ＬＥＤ２２０の１つまたは複数と連通していてもよい。次に、他の製品レール１６０に沿ったＬＥＤ２２０は相互に配線されてもよい。あるいは、製品レール１６０は中空であってもよく、ＬＥＤ２２０は、レール１６０内の配線を通して電源バス１３０と連通していてもよい。中空と中実の製品レール１６０の組み合わせも使用されてもよい。ＬＥＤ２２０に電力供給する他の形態も使用されてもよい。したがって、一般的に使用されるような電源ハーネスの使用を回避することができる。
【００１８】
[0129]  図５および６は、製品棚２５０のさらなる一実施形態を示す。製品棚２５０は多数の中実の製品レール２６０を有する。この実施形態では、製品レール２６０は、製品レール２６０の一部または全部から延在する角度を成す延長部２７０を有してもよい。角度を成す延長部２７０は、各製品レール２６０から延在し、次に下向きに角度を成している。次に、１つまたは複数のＬＥＤ２８０が、角度を成す延長部２７０の上または中に位置付けられてもよい。カバー２９０または他のタイプの接続部が、製品レール２６０を横切って延在し、ＬＥＤ２８０を接続してもよい。ＬＥＤはまた、カバー２９０に付着されてもよい。ＬＥＤ２８０は、上述のように、または他のあらゆる便利な方式で電力供給されてもよい。
【００１９】
[0130]  図７は、製品棚３００のさらなる一実施形態を示す。この実施形態では、製品棚３００は多数の中空の製品レール３１０を含む。１つまたは複数のＬＥＤ３２０は、中空レール３１０それぞれの中に位置付けられてもよい。任意の数のＬＥＤが使用されてもよい。各ＬＥＤ３２０には、透明カバー３３０がその上に位置付けられてもよい。ＬＥＤ３２０は、所望のように製品レール３１０の長さに沿って位置付けられてもよい。ＬＥＤ３２０は、中空の製品レール３１０の全部または一部の中に位置付けられてもよい。ＬＥＤは、上述のように、または他のあらゆる便利な方式で電力供給されてもよい。
【００２０】
[0131]  図８は、製品棚３５０のさらなる一実施形態を示す。この実施形態では、製品棚３５０は多数の中空の支持レール３６０を含む。１つまたは複数のＬＥＤ３７０は支持レール３６０内に位置付けられてもよい。任意の数のＬＥＤが使用されてもよい。ＬＥＤ３７０は透明カバー３８０に封入されてもよい。ＬＥＤ３７０は、支持レール３６０の全部または一部の中に位置付けられてもよい。ＬＥＤは、上述のように、または他のあらゆる便利な方式で電力供給されてもよい。
【００２１】
[0132]  使用の際、製品棚１５０、２５０、３００、３５０は、その下に位置付けられた１つまたは複数の製品７０を直接照明する。製品棚１５０、２５０、３００、３５０それぞれの上の最前にある製品７０が照明されてもよく、または、製品７０のいずれかもしくは全部が照明されてもよい。製品棚１５０、２５０、３００、３５０はそれぞれ電源バス１３０と直接連通しているので、棚１５０、２５０、３００、３５０の位置付けは、所望のように容易に変更することができる。これら交互になった製品棚の実施形態の組み合わせは併用されてもよい。ここでは従来の照明も使用されてもよい。
【００２２】
[0133]  図９および１０は、ディスペンサー４００のさらなる一実施形態を示す。ディスペンサー４００は、上述した製品棚１５０、２５０、３００、３５０など、多数の製品棚を含んでもよい。ここでは他のあらゆるタイプの製品棚６０も使用されてもよい。製品棚６０、１５０、２５０、３００、３５０は、１つまたは複数の三色ＬＥＤ４１０を含んでもよい。図１０に示されるように、三色ＬＥＤ４１０はそれぞれ、第１の波長の光を発生する第１のアノード４２０、第２の波長の光を発生する第２のアノード４３０、および第３の波長の光を発生する第３のアノード４４０を含んでもよい。三色ＬＥＤ４１０はまた、共通のカソード４５０を有してもよい。アノード４２０、４３０、４４０は共通のハウジング４６０内に位置付けられ、レンズ４７０によって囲まれる。この例では、第１の波長４２０は紫外線光であってもよく、第２および第３の波長は着色光であってもよい。ここではあらゆる所望の波長が使用されてもよい。
【００２３】
[0134]  ディスペンサー４００は多数の製品領域を有してもよい。この例では、第１の製品領域４８０、第２の製品領域４９０、および第３の製品領域５００の３つの製品領域が使用される。特定のタイプの製品７０が各製品領域内に位置付けられてもよい。例えば、第１の製品領域４８０は「保健」製品を含んでもよく、第２の製品領域４９０は「健康」製品を含んでもよく、第３の製品領域５００は金属パッケージを含んでもよい。製品領域４８０、４９０、５００それぞれのＬＥＤ４１０は、特定の別個の波長を放射してもよい。例えば、第１の製品領域４８０内の「保健」製品は、５３０ｎｍ以上で光を放射するＬＥＤ４１０を有してもよい。第３の製品領域５００の金属製品は紫外波長を有してもよい。
【００２４】
[0135]  特定のタイプの製品に関して一貫した色および波長を使用することは、それらの製品７０を区別するとともに、製品の性質、すなわち「保健」、「健康」などを補強する助けとなる。そのような一貫した色はまた、製品の供給元および出所の一義的な識別となり得る。単一のＬＥＤ４１０内で３つの波長を使用することにより、光の分布の質が最適化されるとともに、コストが最小限に抑えられる。ＬＥＤ４１０は組み合わせて使用することができる。従来の電灯も使用されてもよい。ＬＥＤ４１０は、型成形されるか、または何らかのやり方で予め取り付けられてもよい。ここでは任意の数の製品領域および光波長が使用されてもよい。
【００２５】
[0136]  図１１および１２は、ディスペンサー５５０のさらなる一実施形態を示す。ディスペンサー５５０は、上述のディスペンサー１０に類似していていてもよく、ただし、鉛直のＬＥＤアレイ５６０がディスペンサー５５０のドア３０に取り付けられている。鉛直のＬＥＤアレイ５６０は、ドア３０の長さ分だけ延在してもよい。鉛直のＬＥＤアレイ５６０は、キャビネット２０の側壁の方にある程度向けられてもよい。反射体５７０は、鉛直のＬＥＤアレイ５６０の周りで筐体３０内に位置付けられてもよい。反射体５７０は、鉛直のＬＥＤアレイからの光を製品７０に向けて反射させてもよい。反射体５７０はまた、光をある程度拡散させてもよい。反射体５７０は、鉛直のＬＥＤアレイ５６０の長さ分だけ延在してもよい。反射体５７０はその上に反射面を含んでもよい。
【００２６】
[0137]  ディスペンサー５５０のドア３０が閉じているとき、反射体５７０は鉛直のＬＥＤアレイ５６０の光を製品７０に向けて反射させる。ドア３０が開いているとき、鉛直のＬＥＤアレイ５６０は製品７０を直接照明する。ドア３０が開かれるにつれて、鉛直のＬＥＤアレイ５６０からの光は、製品７０を通り過ぎて、掃引動作で全体的にまたは個々に製品７０を照明する。したがって、製品７０が常時照明されるとともに、消費者に対するあらゆるまぶしい光が排除または低減される。
【図１】
2010527114.tif 000003
【図２】
2010527114.tif 000004
【図３】
2010527114.tif 000005
【図４】
2010527114.tif 000006
【図５】
2010527114.tif 000007
【図６】
2010527114.tif 000008
【図７】
2010527114.tif 000009
【図８】
2010527114.tif 000010
【図９】
2010527114.tif 000011
【図１０】
2010527114.tif 000012
【図１１】
2010527114.tif 000013
【図１２】
2010527114.tif 000014
【手続補正書】
【提出日】平成22年1月4日(2010.1.4)
【手続補正１】
【補正対象書類名】特許請求の範囲
【補正対象項目名】全文
【補正方法】変更
【補正の内容】
【特許請求の範囲】
【請求項１】
多数の異なるタイプの製品を陳列するための筐体であって、
第１のタイプの製品を自身の上に備えた第１の製品棚と、
前記第１の製品棚の周りに位置付けられ、第１の波長を含む複数の第１の発光ダイオードと、
第２のタイプの製品を自身の上に備えた第２の製品棚と、
前記第２の製品棚の周りに位置付けられ、第２の波長を含む複数の第２の発光ダイオードと、を備える、筐体。
【請求項２】
前記複数の第１の発光ダイオードおよび前記複数の第２の発光ダイオードが、１つまたは複数の三色発光ダイオードを含む、請求項１に記載の筐体。
【請求項３】
第３の製品棚と、
前記第３の製品棚の周りに位置付けられ、第３の波長を含む複数の第３の発光ダイオードと、をさらに備える、請求項１に記載の筐体。
【請求項４】
前記第１の波長が紫外線光を含み、前記第２の波長が着色光を含む、請求項１に記載の筐体。
【請求項５】
前記第１の製品棚が複数の第１の製品レールを含み、
前記複数の第１の発光ダイオードが前記第１の製品レールと関連付けられ、
前記第２の製品棚が複数の第２の製品レールを含み、
前記複数の第２の発光ダイオードが前記第２の製品レールと関連付けられた、請求項１に記載の筐体。
【請求項６】
前記複数の第１の製品レールの少なくともいくつかが、上向きに角度を成す端部を備え、
前記複数の第１の発光ダイオードの少なくともいくつかが、前記第１の製品レールの上向きに角度を成す端部上に位置付けられ、
前記複数の第２の製品レールの少なくともいくつかが、上向きに角度を成す端部を備え、
前記複数の第２の発光ダイオードの少なくとも一部が、前記第２の製品レールの上向きに角度を成す端部上に位置付けられた、請求項１に記載の筐体。
【請求項７】
前記複数の第１の製品レールの少なくともいくつかが中空であり、
前記複数の第１の発光ダイオードの少なくともいくつかが前記第１の製品レール内に位置付けられ、
前記複数の第２の製品レールの少なくともいくつかが中空であり、
前記複数の第２の発光ダイオードの少なくともいくつかが前記第２の製品レール内に位置付けられた、請求項１に記載の筐体。
【請求項８】
前記筐体が、前記第１の製品棚および前記第２の製品棚を支持するように構成された複数のレールスロットをさらに備え、
前記第１の製品棚および前記第２の製品棚が前記レールスロットによって支持されているとき、前記発光ダイオードの少なくともいくつかにおいて電源バスが電力供給するように、前記レールスロットが前記電源バスと電気的に連通している、請求項１に記載の筐体。
【国際調査報告】
2010527114.tif 000015
2010527114.tif 000016
2010527114.tif 000017